(57)【要約】【課題】異なるフォントサイズの合成ビットマップフォントを、容易に作成することができる画像処理装置、画像処理装置の画像処理方法および印刷装置を提供する。【解決手段】アウトラインフォントＯＦを、異なるフォントサイズから成る複数のビットマップフォントＢＦに展開すると共に、複数のビットマップフォントＢＦをビットマップフォント群Ａとするフォント展開手段と、複数のビットマップフォント群Ａを構成するそれぞれの複数のビットマップフォントＢＦを、フォントサイズ毎に合成し、異なるフォントサイズから成る複数の合成ビットマップフォントＧＦを、合成ビットマップフォント群Ｂとして生成するフォント群合成手段と、を備えた。【選択図】図７
2008137326.tif 000002
【特許請求の範囲】
【請求項１】
アウトラインフォントを、異なるフォントサイズから成る複数のビットマップフォントに展開すると共に、前記複数のビットマップフォントをビットマップフォント群とするフォント展開手段と、
複数の前記ビットマップフォント群を構成するそれぞれの前記複数のビットマップフォントを、前記フォントサイズ毎に合成し、異なる前記フォントサイズから成る複数の合成ビットマップフォントを、合成ビットマップフォント群として生成するフォント群合成手段と、を備えたことを特徴とする画像処理装置。
【請求項２】
前記ビットマップフォント群の前記各ビットマップフォントを編集するフォント群編集手段を備え、
前記フォント群編集手段は、前記ビットマップフォント群における所望の１のビットマップフォントを編集処理した場合、前記編集処理を前記ビットマップフォント群の他の前記各ビットマップフォントに反映させることを特徴とする請求項１に記載の画像処理装置。
【請求項３】
前記各ビットマップフォントは、偏旁から成る漢字であり、
前記フォント群編集手段は、前記漢字から所望の前記偏旁を抽出する偏旁抽出手段を有し、
前記偏旁抽出手段は、合成される複数の前記偏旁が相互に補完するよう、前記漢字から抽出することを特徴とする請求項１または２に記載の画像処理装置。
【請求項４】
前記フォント群編集手段は、前記各ビットマップフォントを縮小するフォント縮小手段を有していることを特徴とする請求項１ないし３のいずれかに記載の画像処理装置。
【請求項５】
前記合成ビットマップフォント群の各合成ビットマップフォントを前記フォントサイズ毎に編集する合成フォント編集手段を、更に備えたことを特徴とする請求項１ないし４のいずれかに記載の画像処理装置。
【請求項６】
前記各合成ビットマップフォントには、書体を判別するための書体判別情報が付されていることを特徴とする請求項１ないし５のいずれかに記載の画像処理装置。
【請求項７】
前記各合成ビットマップフォントに、読み仮名を付す読み仮名設定手段を、更に備えたことを特徴とする請求項１ないし６のいずれかに記載の画像処理装置。
【請求項８】
アウトラインフォントを、異なるフォントサイズから成る複数のビットマップフォントに展開すると共に、前記複数のビットマップフォントをビットマップフォント群とするフォント展開工程と、
複数の前記ビットマップフォント群を構成するそれぞれの前記複数のビットマップフォントを、前記フォントサイズ毎に合成し、異なる前記フォントサイズから成る複数の合成ビットマップフォントを、合成ビットマップフォント群として生成するフォント群合成工程と、を備えたことを特徴とする画像処理装置の画像処理方法。
【請求項９】
請求項１ないし７のいずれかに記載の画像処理装置と、
前記画像処理装置により合成された前記各合成ビットマップフォントを印刷する印刷手段と、を備えたことを特徴とする印刷装置。
【発明の詳細な説明】
【技術分野】
【０００１】
本発明は、複数のビットマップフォントを合成する画像処理装置、画像処理装置の画像処理方法および印刷装置に関するものである。
【背景技術】
【０００２】
従来、この種の画像処理装置として、フォント記憶部からビットマップフォントを展開した後、展開した複数のビットマップフォントをそれぞれ任意に編集し、編集した複数のビットマップフォントを合成して、異体文字や所望の文字等の合成ビットマップフォントを作成するものが知られている（特許文献１参照）。
【特許文献１】特開昭５６−４６２９０号公報
【発明の開示】
【発明が解決しようとする課題】
【０００３】
しかしながら、上記のような構成において、合成ビットマップフォントのフォントサイズを変更する場合は、合成ビットマップフォントの拡大または縮小を行ってフォントサイズを変更することが考えられる。このとき、合成ビットマップフォントをそのまま拡大してしまうと、拡大した合成ビットマップフォントは粗くなってしまう一方、合成ビットマップフォントをそのまま縮小してしまうと、一定の割合で画素を間引いて縮小するため、見栄えの悪いものとなってしまう問題がある。これを解消すべく、フォントサイズ毎に、合成ビットマップフォントを作成することが考えられるが、この作業はユーザにとって負担を強いてしまう。
【０００４】
本発明は、異なるフォントサイズの合成ビットマップフォントを、容易に作成することができる画像処理装置、画像処理装置の画像処理方法および印刷装置を提供することを課題とする。
【課題を解決するための手段】
【０００５】
本発明の画像処理装置は、アウトラインフォントを、異なるフォントサイズから成る複数のビットマップフォントに展開すると共に、複数のビットマップフォントをビットマップフォント群とするフォント展開手段と、複数のビットマップフォント群を構成するそれぞれの複数のビットマップフォントを、フォントサイズ毎に合成し、異なるフォントサイズから成る複数の合成ビットマップフォントを、合成ビットマップフォント群として生成するフォント群合成手段と、を備えたことを特徴とする。
【０００６】
また、本発明の画像処理装置の画像処理方法は、アウトラインフォントを、異なるフォントサイズから成る複数のビットマップフォントに展開すると共に、複数のビットマップフォントをビットマップフォント群とするフォント展開工程と、複数のビットマップフォント群を構成するそれぞれの複数のビットマップフォントを、フォントサイズ毎に合成し、異なるフォントサイズから成る複数の合成ビットマップフォントを、合成ビットマップフォント群として生成するフォント群合成工程と、を備えたことを特徴とする。
【０００７】
この構成によれば、各フォントサイズの合成ビットマップフォントを一括して作成することができる。このため、フォントサイズ毎に合成ビットマップフォントを作成する必要が無く、所望のフォントサイズの合成ビットマップフォントを用いることで、見栄えの良いものとすることができる。
【０００８】
この場合、ビットマップフォント群の各ビットマップフォントを編集するフォント群編集手段を備え、フォント群編集手段は、ビットマップフォント群における所望の１のビットマップフォントを編集処理した場合、編集処理をビットマップフォント群の他の各ビットマップフォントに反映させることが、好ましい。
【０００９】
この構成によれば、１のビットマップフォントを編集するだけで、ビットマップフォント群の他の各ビットマップフォントを編集することができるため、ビットマップフォントを個別に編集する手間を省くことができる。
【００１０】
この場合、各ビットマップフォントは、偏旁から成る漢字であり、フォント群編集手段は、漢字から所望の偏旁を抽出する偏旁抽出手段を有し、偏旁抽出手段は、合成される複数の偏旁が相互に補完するよう、漢字から抽出することが、好ましい。
【００１１】
この構成によれば、各偏旁を重複させることなく合成することができ、異体文字や所望の文字を作成することが可能となる。なお、偏旁とは、偏、旁、冠、脚、構、垂や繞等である。
【００１２】
この場合、フォント群編集手段は、前記各ビットマップフォントを縮小するフォント縮小手段を有していることが、好ましい。
【００１３】
この構成によれば、例えば、一方のビットマップフォントを左寄りに縮小し、他方のビットマップフォントを右寄りに縮小した後、これらを合成することで、２つの文字を１つのフォントとして作成することができる。
【００１４】
この場合、合成ビットマップフォント群の各合成ビットマップフォントをフォントサイズ毎に編集する合成フォント編集手段を、更に備えたことが、好ましい。
【００１５】
この構成によれば、合成後の各合成ビットマップフォントを部分的に修正することができ、より見栄えの良いものとすることができる。
【００１６】
この場合、各合成ビットマップフォントには、書体を判別するための書体判別情報が付されていることが、好ましい。
【００１７】
この構成によれば、作成した各合成ビットマップフォントが、どんな書体であるかを特定することができる。
【００１８】
この場合、各合成ビットマップフォントに、読み仮名を付す読み仮名設定手段を、更に備えたことが、好ましい。
【００１９】
この構成によれば、合成ビットマップフォントに読み仮名を付すことができ、例えば、読み仮名を検索することにより、合成ビットマップフォントを読み出すことが可能となる。
【００２０】
本発明の印刷装置は、上記の画像処理装置と、画像処理装置により合成された各合成ビットマップフォントを印刷する印刷手段と、を備えたことを特徴とする。
【００２１】
この構成によれば、複数の異なるフォントサイズから成る合成ビットマップフォント群を一括して作成することができ、異体文字や所望の文字を使用して印刷することができる。
【発明を実施するための最良の形態】
【００２２】
以下、添付の図面を参照して、本発明に係る画像処理装置を適用したテープ印刷装置について説明する。このテープ印刷装置は、装着されたテープカートリッジから印刷テープを繰り出すと共に、送られてゆく印刷テープに印刷を行い、この後、印刷テープの印刷済み部分を切断してテープ片を得る、つまりラベルを作成するものである。
【００２３】
図１および図２に示すように、テープ印刷装置１は、印刷テープＴに対して印刷処理を行うものであり、テープ印刷装置１には、印刷テープＴおよびインクリボンＲを収容したテープカートリッジＣが着脱自在に装着される。
【００２４】
テープ印刷装置１は、装置ケース３により外殻が形成され、装置ケース３の前半部上面には、各種キー４を備えたキーボード５が配設されている。装置ケース３の後半部左上面には、開閉蓋６が広く設けられ、開閉蓋６の前側にはこれを開放する蓋体開放ボタン８が設けられている。装置ケース３の後半部右上面には、キーボード５からの入力結果等を表示する長方形のディスプレイ９が配設されている。
【００２５】
蓋体開放ボタン８を押して開閉蓋６を開放すると、その内部には、テープカートリッジＣが装着されるカートリッジ装着部１０が窪入形成されおり、カートリッジ装着部１０には、テープカートリッジＣから繰り出される印刷テープＴに熱転写による印刷を行うサーマルヘッド１５と、後述するプラテンローラ３８に嵌合してこれを回転駆動させるプラテン駆動軸１６とが立設されている。
【００２６】
装置ケース３の左側部には、カートリッジ装着部１０と装置外部とを連通するテープ排出口１７が形成され、装置ケース３内部には、このテープ排出口１７に臨むよう、カッタモータ６１の駆動による印刷テープＴの切断動作を行うカッタユニット１８が内蔵されている。
【００２７】
テープカートリッジＣは、カートリッジケース３０により外殻が形成され、カートリッジケース３０の内部には、ロール状に巻回した印刷テープＴおよびインクリボンＲが収容されると共に、印刷テープＴを送るプラテンローラ３８が配置されている。なお、印刷テープＴは、いわゆる、剥離紙付きの粘着テープである。
【００２８】
テープカートリッジＣをカートリッジ装着部１０に装着して、開閉蓋６を閉塞すると、サーマルヘッド１５が回動して、サーマルヘッド１５とプラテンローラ３８との間に、印刷テープＴおよびインクリボンＲを挟み込み、テープ印刷装置１は印刷待機状態となる。そして、キーボード５上の印刷キーが押下されると、サーマルヘッド１５が駆動を開始すると共に、テープ送り機構（図示省略）によりプラテン駆動軸１６を回転させる。すると、プラテンローラ３８が回転して、挟み込んでいる印刷テープＴおよびインクリボンＲを併走させると共に、サーマルヘッド１５によりインクリボンＲのインクを印刷テープＴに熱転写する。
【００２９】
そして、サーマルヘッド１５およびプラテンローラ３８により印刷送りされる印刷テープＴは、続いてカッタユニット１８に臨む。ここで、カッタユニット１８により、印刷テープＴの印刷済み部分が切断されてテープ片（ラベル）が作成される。また、両図では省略したが、装置ケース３の内部には、テープ印刷装置１を統括制御する制御部５５を構成する回路基板が搭載されている。
【００３０】
次に、図３を参照し、テープ印刷装置１の制御系の構成について説明する。テープ印刷装置１は、操作部５１と、印刷部５２と、切断部５３と、駆動部５４と、各部と接続され、装置全体を制御する制御部５５とにより構成されている。操作部５１は、キーボード５およびディスプレイ９を有し、ユーザによる文字情報の入力や各種情報の表示等のユーザインタフェースを司っている。印刷部５２は、サーマルヘッド１５および印刷送りモータ６０を有し、印刷テープＴおよびインクリボンＲを送りながら、入力された文字情報に基づいて印刷する。切断部５３は、カッタを駆動するカッタモータ６１を有し、印刷済みの印刷テープＴをカットする。駆動部５４は、ディスプレイドライバ６２、ヘッドドライバ６３、印刷送りモータドライバ６４、カッタモータドライバ６５を有し、各部を駆動する。
【００３１】
制御部５５は、ＣＰＵ７０、ＲＯＭ７１、ＲＡＭ７２および入力制御装置７３（ＩＯＣ：Input Output Controller）を備え、互いに内部バス７４により接続されている。なお、詳細は後述するが、ＲＯＭ７１内には、印刷テープＴに印刷する印刷画像を作成するための印刷画像作成プログラム７５や、装置内で用意しているアウトラインフォント（記号、数字、文字等）ＯＦ等を記憶するフォント記憶部７６が設けられている。この印刷画像作成プログラム７５は、アウトラインフォントＯＦからビットマップフォントＢＦに展開するフォント展開機能（フォント展開手段）や、展開したビットマップフォントＢＦを編集して、所望の印刷画像を作成する外字機能を備えており、外字機能は、展開したビットマップフォントＢＦ同士を合成するフォント群合成機能（フォント群合成手段）等を有している（詳細は後述）。そして、ＣＰＵ７０はＲＯＭ７１内の制御プログラムにしたがって、ＩＯＣ７３を介してテープ印刷装置１の各部から各種信号・データを入力する。また、入力した各種信号・データに基づいて、ＲＡＭ７２内の各種データを処理し、ＩＯＣ７３を介してテープ印刷装置１内の各部に各種信号データを出力し、これにより印刷処理の制御等を行う。
【００３２】
ここで、テープ印刷装置１では、フォント記憶部７６に記憶されたアウトラインフォントＯＦを、異なるフォントサイズから成る４つのビットマップフォントＢＦに、ビットマップフォント群Ａとして展開すると共に、展開した２つのビットマップフォント群Ａをフォントサイズ毎に合成して、４つの合成ビットマップフォントＧＦを、合成ビットマップフォント群Ｂとして生成している。なお、フォントサイズに対応する画素数としては、例えば、１６×１６、２４×２４、３２×３２および４８×４８がある。以下、図４ないし図６を参照して、ユーザによる操作手順を中心に説明する。
【００３３】
まず、キーボード５の電源キーを押して電源をオンにすると、テープ印刷装置１は、キー入力可能な操作状態で起動する。ＲＯＭ７１内の印刷画像作成プログラム７５には、任意の文字列を入力・編集するための入力編集モード８０、ビットマップフォントＢＦ同士を合成するフォント群合成モード８１等、複数のモードが用意されており、所定のキー操作により各モードが呼び出され、各モード専用の入力画面から、印刷画像がそれぞれ作成される。フォント群合成モード８１は、主として、漢字フォントにおける任意の偏旁同士を合成して、異体文字や所望の漢字を生成するためのものであり、フォント記憶部７６に記憶されていない漢字フォントを作成することが可能となっている。また、フォント群合成モード８１では、フォントサイズの小さいものから順に合成されるようになっている。なお、起動時には、デフォルトとして入力編集モード８０となっている（図４（ａ）参照）。
【００３４】
ディスプレイ９上に表示された入力編集モード８０は、その下半部が、印刷画像を入力・編集するための画像編集領域８２となっており、その上半部が、印刷画像の印刷イメージをプレビュー表示するためのプレビュー領域８３となっている。画像編集領域８２には、キーボード５から入力された文字列が横書きに表示され、文字列が複数行に亘る場合には、行毎に上下に並べて表示される。また、画像編集領域８２には、各文字列が何行目に位置するかを表示した行頭マーク８４と、編集入力位置を指標するカーソル８５とが表示される。プレビュー領域８３には、画像編集領域８２上で入力・編集された印刷画像の印刷イメージが白黒反転表示される。
【００３５】
フォント群合成モード８１に移行する場合は、先ず、入力編集モード８０が表示された状態において、キーボード５上のファイルキーを押して、ファイル機能選択画面９０を表示させる。ファイル機能選択画面９０には、複数の選択肢が表示されており、その中の「外字」を選択することで、外字機能選択画面９１に移行する（図４（ｂ）参照）。
【００３６】
外字機能選択画面９１には、複数の選択肢を選択可能に表示する選択メニュー９２が表示され、選択メニュー９２には、「呼出」、「新規作成」、「参照作成」、「合成作成」、「修正」等の選択肢を有している。ここで、「合成作成」を選択することで、フォント群合成モード８１に移行する（図４（ｃ）参照）。なお、ディスプレイ９の都合上、選択肢は最大３行までしか表示できないため、上下キーを操作し、画面を上下に遷移させることで選択肢を選択するよう構成されている。
【００３７】
フォント群合成モード８１は、初期画面として合成するフォントを指定する合成文字入力画面９３が表示される。合成文字入力画面９３は、所望のフォントを入力するフォント入力領域９４を有しており、フォント入力領域９４には、フォントが何文字目であるかを表示すると共に、入力位置を指標するカーソル８５が表示される。また、フォント入力領域９４には、主として漢字フォントが入力されるが、これに限らず、ひらがな、数字や記号等のフォントを入力することも可能となっている。なお、以下の説明では、漢字フォントを入力した場合について、説明をすすめる。フォント入力領域９４に所望の漢字フォントを入力し、キーボード５上の決定キーを押すと、第１合成位置選択画面９５が表示される（図５（ｄ）参照）。
【００３８】
第１合成位置選択画面（偏旁抽出手段）９５には、１文字目の漢字フォントの任意の偏旁を抽出すべく、複数種の偏旁抽出イメージ９６を選択可能に表示する偏旁抽出メニュー９７が表示される。偏旁抽出メニュー９７には、偏、旁、冠、脚、構、垂や繞等の偏旁抽出イメージ９６が表示され、これを選択することにより、漢字の任意の偏旁を抽出することができる。偏旁抽出イメージ９６は、偏に対応する「左」や、旁に対応する「右」等の選択肢が表示されており、任意の偏旁抽出イメージ９６を選択し、決定キーを押すことで、再び合成文字入力画面９３に移行する（図５（ｅ）参照）。合成文字入力画面９３上において、フォント入力領域９４に２文字目の漢字を入力し、キーボード５上の決定キーを押すと、第２合成位置選択画面（偏旁抽出手段）９８が表示される（図５（ｆ）参照）。
【００３９】
第２合成位置選択画面９８には、上記と同様に、２文字目の漢字フォントの任意の偏旁を抽出すべく、偏旁抽出メニュー９７が表示される。このとき、偏旁抽出メニュー９７には、偏旁抽出イメージ９６が表示されるが、第１合成位置選択画面９５において選択した偏旁抽出イメージ９６と相互に補完するもののみが選択可能に表示される。例えば、第１合成位置選択画面９５において、偏（「左」）を選択した場合、第２合成位置選択画面９８においては、旁（「右」）のみが選択可能に表示される。これにより、選択した偏旁が重複することがないため、見栄え良く合成ビットマップフォントを作成することができる。第２合成位置選択画面９８において、第１合成位置選択画面９５において選択した偏旁抽出イメージ９６に補完する偏旁抽出イメージ９６を選択すると、今度は、第１偏旁編集画面９９に移行する（図５（ｇ）参照）。
【００４０】
第１偏旁編集画面９９は、画面左側に配置されると共に選択した偏旁をｄｏｔ単位で編集可能な偏旁編集領域１００と、画面右側に配置されると共に編集形態を選択する編集形態選択メニュー１０１とを備えており、フォントサイズの小さいものから順に編集するよう構成されている。なお、各合成位置選択画面９５、９８において選択された偏旁は、抽出漏れが無いよう抽出する範囲をやや広くした状態で、偏旁編集領域１００に表示されている。編集形態選択メニュー１０１は、その上側に、編集するフォントサイズの画素数（例えば、１６×１６）を表示すると共に、１文字目の偏旁を編集中である旨を表示しており、編集形態の選択肢として、「普通」、「黒塗り」および「白塗り」が表示されている。「普通」の選択肢は、偏旁を１ｄｏｔ単位で編集するものであり、偏旁の任意のｄｏｔを選択し、白黒反転キーを押すことでｄｏｔ反転させる。「黒塗り」の選択肢は、偏旁の複数のドットを範囲指定し、白黒反転キーを押すことで指定した範囲を黒塗りにする。「白塗り」の選択肢は、偏旁の複数のドットを範囲指定し、白黒反転キーを押すことで指定した範囲を白塗りにする。第１偏旁編集画面９９において、所望の編集が終了し、決定キーを押すと、次に、第２偏旁編集画面１０２に移行する（図６（ｈ）参照）。
【００４１】
第２偏旁編集画面１０２は、上記の第１偏旁編集画面９９と同様に構成され、２文字目の選択した偏旁を編集可能に表示する。第２偏旁編集画面１０２において、所望の編集を行なった後、決定キーを押すと、合成画面１０３が表示される（図６（ｉ）参照）。合成画面１０３は、その画面左側に配置されると共に第１偏旁編集画面９９および第２偏旁編集画面１０２において編集した偏旁同士を合成した異体文字等を表示する合成フォント表示領域１０４が設けられている（図６（ｊ）参照）。そして、所望の合成ビットマップフォントＧＦを作成した後、決定キーを押すと、今度は、２４×２４のフォントサイズの合成ビットマップフォントＧＦを作成すべく、再び、第１偏旁編集画面９９に移行する。以降、３２×３２および４８×４８のフォントサイズの合成ビットマップフォントＧＦを上記の手順により順次作成する。なお、本実施形態では、全てのフォントサイズの偏旁を編集するよう構成しているが、必要なフォントサイズの偏旁のみを編集するよう構成してもよい。
【００４２】
作成した複数の異なるフォントサイズの合成ビットマップフォントＧＦから成る合成ビットマップフォント群Ｂは、それぞれＲＯＭ７１内に呼び出し可能に登録（記憶）される。このとき、図示は省略するが、登録される各合成ビットマップフォントＧＦには、読み仮名を付すことが可能となっており、読み仮名入力画面（読み仮名設定手段）を表示させ、合成ビットマップフォントＧＦの読み仮名をキーボード５から入力して、合成ビットマップフォントＧＦに対応させて登録する。これにより、合成ビットマップフォントＧＦの読み仮名を検索することで、所望の合成ビットマップフォントＧＦを呼び出すことが可能となる。また、合成ビットマップフォントＧＦは、編集した書体が、例えば、明朝体である場合は、その書体情報（書体判別情報）が合成ビットマップフォントＧＦに付されている。これにより、作成した合成ビットマップフォントＧＦの書体を判別することができるため、印刷画像作成プログラム７５の書体環境に応じて、合成ビットマップフォントＧＦを呼び出すことが可能となる。
【００４３】
ここで、図７を参照して、上記した各種入力データに基づいて合成ビットマップフォント群Ｂを生成する画像作成処理における処理イメージについて説明する。先ず、合成文字入力画面９３において選択した２文字のフォント、例えば、「海」および「楮」が入力されると、フォント記憶部７６に記憶された各文字のアウトラインフォントＯＦを、４つのフォントサイズから成る４つのビットマップフォントＢＦに展開し、ビットマップフォント群Ａとする。この後、各合成位置選択画面９５、９８において選択した偏旁抽出イメージ９６に基づいて、各ビットマップフォント群Ａの各ビットマップフォントＢＦの偏旁を抽出する。つまり、各合成位置選択画面９５、９８において、ビットマップフォントＢＦの任意の偏旁を選択するだけで、ビットマップフォント群Ａの全てのビットマップフォントＢＦの偏旁を抽出することができるため、ビットマップフォントＢＦの偏旁を個別に選択する手間を省くことができる。抽出した各偏旁を、各偏旁編集画面９９、１０２において個々に編集した後、「海」および「楮」の各ビットマップフォントＢＦをフォントサイズ毎に合成することで、４つのフォントサイズから成る４つの合成ビットマップフォントＧＦを、合成ビットマップフォント群Ｂとして生成する。
【００４４】
以上の構成によれば、各フォントサイズの合成ビットマップフォントＧＦを一括して作成することができる。このため、フォントサイズ毎に合成ビットマップフォントＧＦを作成する必要が無く、所望のフォントサイズの合成ビットマップフォントＧＦを用いることで、印刷テープＴに印字した合成ビットマップフォントＧＦを見栄えの良いものとすることができる。なお、本実施形態では、抽出した各偏旁をフォントサイズ毎に編集したが、合成後の合成ビットマップフォントＧＦをフォントサイズ毎に編集するようにしてもよい。これにより、合成後の各合成ビットマップフォントＧＦを部分的に修正することができ、より見栄えの良いものとすることができる。
【００４５】
次に、図８および図９を参照して、第２実施形態に係るテープ印刷装置１について説明する。なお、重複した記載を避けるべく、異なる部分についてのみ説明する。このテープ印刷装置１は、展開したビットマップフォントＢＦの偏旁を抽出するための各合成位置選択画面９５、９８に代えて、展開したビットマップフォントＢＦを縮小するためのフォント縮小画面（フォント縮小手段）１２０が用意されており、フォント縮小画面１２０には、「右寄せ」、「左寄せ」、「上寄せ」および「下寄せ」の選択肢が表示されている。「右寄せ」の選択肢を選択すると、各ビットマップフォントＢＦは、右側に縮小され、「左寄せ」の選択肢を選択すると、各ビットマップフォントＢＦは、左側に縮小される。これにより、右側に縮小された各ビットマップフォントＢＦと、左側に縮小された各ビットマップフォントＢＦと、をフォントサイズ毎に合成することで、２文字を１のビットマップフォントＢＦにすることが可能となる。
【００４６】
合成文字入力画面９３において選択した２文字のフォント、例えば、「合」および「成」が入力されると、各文字のアウトラインフォントＯＦを、４つのフォントサイズから成る４つのビットマップフォントＢＦに展開し、ビットマップフォント群Ａとする。この後、各フォント縮小画面１２０において選択した選択肢に基づいて、各ビットマップフォント群Ａの各ビットマップフォントＢＦを縮小する。縮小した各ビットマップフォントＢＦを、フォントサイズ毎に合成することで、４つのフォントサイズから成る４つの合成ビットマップフォントＧＦを、合成ビットマップフォント群Ｂとして生成する。
【００４７】
この構成においても、各フォントサイズの合成ビットマップフォントＧＦを一括して作成することができる。このため、フォントサイズ毎に合成ビットマップフォントＧＦを作成する必要が無く、所望のフォントサイズの合成ビットマップフォントＧＦを用いることで、印刷テープＴに印字した合成ビットマップフォントＧＦを見栄えの良いものとすることができ、また、２文字を１のビットマップフォントＢＦにすることができる。
【図面の簡単な説明】
【００４８】
【図１】本発明に係る画像処理装置を適用した閉蓋状態のテープ印刷装置の外観斜視図である。
【図２】本発明に係る画像処理装置を適用した開蓋状態のテープ印刷装置の外観斜視図である。
【図３】テープ印刷装置の制御ブロック図である。
【図４】フォント群合成モードへ移行するまでのディスプレイの遷移図である。
【図５】フォント群合成モードにおいて遷移するディスプレイの前半説明図である。
【図６】フォント群合成モードにおいて遷移するディスプレイの後半説明図である。
【図７】画像作成処理フローにおける処理イメージの説明図である。
【図８】フォント縮小画面の模式図である。
【図９】画像作成処理フローのフォント縮小における処理イメージの説明図である。
【符号の説明】
【００４９】
１…テープ印刷装置  ７５…印刷画像作成プログラム  ７６…フォント記憶部  ８１…フォント群合成モード  ９５…第１合成位置選択画面  ９６…偏旁抽出イメージ  ９８…第２合成位置選択画面  １０３…合成画面  １０４…合成フォント表示領域  １２０…フォント縮小画面  ＯＦ…アウトラインフォント  ＢＦ…ビットマップフォント  Ａ…ビットマップフォント群  ＧＦ…合成ビットマップフォント  Ｂ…合成ビットマップフォント群
【図１】
2008137326.tif 000003
【図２】
2008137326.tif 000004
【図３】
2008137326.tif 000005
【図４】
2008137326.tif 000006
【図５】
2008137326.tif 000007
【図６】
2008137326.tif 000008
【図７】
2008137326.tif 000009
【図８】
2008137326.tif 000010
【図９】
2008137326.tif 000011